(57)【要約】【課題】  マグネット式安全弁の弁体とシート部とが張り付いた場合でもマグネット式安全弁を全開位置にセットできる開弁装置を備えたガス湯沸器を提供する。【解決手段】  水圧応動装置１６の変位を伝えるスピンドル３７の先端側に開弁装置８を設ける。開弁装置８は、外筒体３と、スピンドル３７による進退に伴って外筒体３内を軸方向に摺動自在に移動する内筒体４と、内筒体４からの前進力を伝達する回転体５と、この伝達される前進力によりマグネット式安全弁７を押動する押動体９を有する。スピンドル３７が前進してマグネット式安全弁７の開弁完了位置に達するまでは、内筒体４・回転体５・押動体９によりマグネット式安全弁７を押し開く。開弁完了位置に達した後は、回転体５が回転しながら内筒体４のリブ４ａとリブ４ａとの間に後退して退避し、マグネット式安全弁７を閉弁可能状態にする。【選択図】    図２
2008267800.tif 000002
【特許請求の範囲】
【請求項１】
通水圧力に応じてガス流路の上流側および下流側に向け進退動するスピンドルと、
ガス流路に設けられ通電電流により開弁保持され、通電電流の低下によってガス流を閉じるマグネット式安全弁と、
上記マグネット式安全弁よりも、ガス流路のガス流れに対する下流側に設けられる水圧自動弁と、
上記安全弁と、水圧自動弁との間に設けられ、上記スピンドルの前進力を上記マグネット式安全弁に伝達してそのマグネット式安全弁を開弁させる開弁装置と、
上記スピンドルに固定され、上記スピンドルの前進力を水圧自動弁体に伝達して当該水圧自動弁を開弁させる押圧部材を有し、
上記開弁装置を、
ガス流路内に設けられる外筒と、
この外筒の内周部に設けられて上記スピンドルに伴って進退動する内筒と、
この内筒のガス流路に対する上流側に位置して内筒と当接状態にあるときには、上記内筒の前進力を上記マグネット式安全弁に伝達し当該マグネット式安全弁を開弁させる一方、上記内筒との当接状態が解除されたときには、付勢手段により付勢されて上記内筒に対してガス流路の下流側に後退する伝達部材とにより構成し、
上記押圧部材を、上記内筒と伝達部材とが当接状態にある場合に上記水圧自動弁と離間するよう上記スピンドルに固定し、上記伝達部材と内筒との当接状態が解除されて当該伝達部材が下流側に後退した場合には、スピンドルの前進により上記水圧自動弁体と当接させ、スピンドルの前進力を当該水圧自動弁体に伝達するようにした
ガス湯沸器であって、
上記外筒の内周面に、複数のリブを周方向に等間隔に設けて、互いに隣接するリブ間にスピンドルの進退方向に沿ったガイドを形成し、
上記内筒の外周面に上記ガイドと同数のリブを、上記伝達部材の外周部に上記ガイドと同数の腕部をそれぞれ設けて、内筒の各リブと伝達部材の各腕部を、上記外筒の各ガイド内に配するとともに、
上記内筒側の上流側端面と外筒側の上流側端面とを、ガス流路の上流側から下流側に向けて同一方向に傾斜する傾斜面に形成することで、上記スピンドルが前進して上記開弁装置の伝達部材が上記マグネット式安全弁を開弁した際に、内筒側の各々のリブの上流側端面と、これら内筒側の各リブに隣接する外筒側のリブの上流側端面とで略面一の傾斜面を形成し、上記伝達部材の腕部を内筒側のリブの上流側端面から、外筒側の上流側端面上に移動させて上記伝達部材を後退させることを特徴とするガス湯沸器。
【発明の詳細な説明】
【技術分野】
【０００１】
本発明は、水圧力によってマグネット式安全弁を押動開弁する装置を備えたガス湯沸器に関する。
【背景技術】
【０００２】
一般にガス器具には、不作為に燃焼炎が消失した場合にガスの流出を停止するマグネット式安全弁が組込まれる。燃焼中の燃焼炎有無は、フレームガードまたは熱電対の熱起電力等によって監視しており、燃焼炎が有ればマグネット式安全弁を乾電池の電力（または熱起電力）により開弁保持し、燃焼炎消失の場合には通電を停止して（または熱起電力が低下して）開弁保持力を解くことにより閉弁する。その点火時の開弁設定のためには、マグネット式安全弁の吸着面に押し付ける押動力と、吸着後はマグネット式安全弁を閉弁可能状態とする押動解放を必要とする。押動力は人力または他の電磁力によるものの他、水圧力を利用するものが知られている。
【０００３】
その水圧力を利用するものとしては、本出願人によって実開平４−１７８９号に開示されており、一例としてガス湯沸器に組込んだマグネット式安全弁の開弁装置について図１２〜図１５を用いて説明する。尚、開弁装置が組込まれるガス湯沸器については、図１の本願の実施例を参照されたい。
【０００４】
通水圧力に応じて進退動するスピンドル８２の先端部には、マグネット式安全弁７を開弁設定する開弁装置８０が設けられる。この開弁装置８０には、マグネット式安全弁７を押動する押動体８３と、マグネット式安全弁７を全開にできる所定の押動力に達した場合に、押動体８３による前進ストロークを吸収する吸収ばね８４と、スピンドル８２との係合を解いて退避し、マグネット式安全弁７を閉弁可能状態にする退避ばね８５と、通水停止によるスピンドル８２の後退途中で、スピンドル８２の凹部４１にはまり込み、開弁装置８を再び係止するボール４０とを設ける。
【０００５】
湯沸器が運転開始され通水されると水圧応動装置１６に押動力を生じることによって、水側軸１４に押動力が伝えられ、スピンドル８２はバネ８１力に打ち勝ち水側軸１４と一体となって前進移動する。開弁装置８０は、マグネット式安全弁７を開弁し吸着に至るまではスピンドル８２と係合し一体となって前進移動し（図面左方向）、マグネット式安全弁７を開弁して押し付ける押動力に達した後、スピンドル８２との係合を解放して、マグネット式安全弁７が閉弁可能な位置までスピンドル８２上を摺動して後退（図面右方向）する。また、通水が停止されると水圧応動装置１６によりスピンドル８２が当初の停止位置まで戻り開弁装置８０とスピンドル８２とが再び係合復帰する関係に設けられる。
【０００６】
開弁装置８０は、図１２に示すように、スピンドル８２が前進移動することにより停止位置（Ａ）の状態からマグネット式安全弁７を押し始め開弁を開始する。更に、スピンドル８２は、マグネット式安全弁７の吸着片４６を電磁石４７の吸着面まで押動する（Ｂ）。
【０００７】
更に、スピンドル８２が前進移動するとその押動力により開弁装置８０とスピンドル８２との係合が解かれ、開弁装置８０はスピンドル８２上を摺動しながら後退し、マグネット式安全弁７への押動を解放する（Ｃ）。この押動力の解放はボール４０とスピンドル８２の凹部４１との係合箇所が外れることによるものである。更に、スピンドル８２が図左側に前進移動すると（Ｄ）の状態に至り、スピンドル８２と一体となった押部材２９により水圧自動弁３０が押され開弁してガスが流れ始める。
【０００８】
操作ボタン１８により消火操作されると水栓１０が閉弁して止水する。すると、水圧応動装置１６は、ダイアフラム６の一次室２０と二次室２１間の差圧がなくなり、バネ８１力がスピンドル８２を停止位置（図の右方向）に戻し始める。スピンドル８２は、後退して戻り水圧自動弁３０を閉弁し、その後停止位置近くまで後退すると、開弁装置８０とスピンドル８２とが再係合（リセット）されて次の点火に備える（Ａ）。
【発明の開示】
【発明が解決しようとする課題】
【０００９】
しかしながら、マグネット式安全弁７の弁体４３が本体のシート部３５に貼り付いて開弁時に大きな押動力を要したり、高水圧によりスピンドル８２が速く動作してマグネット式安全弁７を衝撃的に押動した場合には、全開位置に達する前に、開弁装置８０がスピンドル８２との係合を解除する押動荷重に達してしまい、マグネット式安全弁７を充分に押動できないこととなって、ガス湯沸器が着火しないという問題があった。これは、マグネット式安全弁７の開弁開始位置に達しただけで、押動力により開弁装置８の吸収ばね８４が圧縮されてしまい、スピンドル８２の凹部４１からボール４０が外れ、マグネット式安全弁７の全開位置に達する前に、開弁装置８０がスピンドル８２との係合を解除して退避するからである。
【００１０】
そこで、本発明のガス湯沸器は上記課題を解決し、点火操作時に、マグネット式安全弁の弁体とシート部とが貼り付く等して開弁開始時に大きな押動力を要したとしても、マグネット式安全弁を全開位置まで確実に移動する開弁装置を備えたガス湯沸器を提供することを目的とする。
【課題を解決するための手段】
【００１１】
上記課題を解決する本発明の請求項１記載のガス湯沸器は、
通水圧力に応じてガス流路の上流側および下流側に向け進退動するスピンドルと、
ガス流路に設けられ通電電流により開弁保持され、通電電流の低下によってガス流を閉じるマグネット式安全弁と、
上記マグネット式安全弁よりも、ガス流路のガス流れに対する下流側に設けられる水圧自動弁と、
上記安全弁と、水圧自動弁との間に設けられ、上記スピンドルの前進力を上記マグネット式安全弁に伝達してそのマグネット式安全弁を開弁させる開弁装置と、
上記スピンドルに固定され、上記スピンドルの前進力を水圧自動弁体に伝達して当該水圧自動弁を開弁させる押圧部材を有し、
上記開弁装置を、
ガス流路内に設けられる外筒と、
この外筒の内周部に設けられて上記スピンドルに伴って進退動する内筒と、
この内筒のガス流路に対する上流側に位置して内筒と当接状態にあるときには、上記内筒の前進力を上記マグネット式安全弁に伝達し当該マグネット式安全弁を開弁させる一方、上記内筒との当接状態が解除されたときには、付勢手段により付勢されて上記内筒に対してガス流路の下流側に後退する伝達部材とにより構成し、
上記押圧部材を、上記内筒と伝達部材とが当接状態にある場合に上記水圧自動弁と離間するように上記スピンドルに固定し、上記伝達部材と内筒との当接状態が解除されて当該伝達部材が下流側に後退した場合には、スピンドルの前進により上記水圧自動弁体と当接させ、スピンドルの前進力を当該水圧自動弁体に伝達するようにした
ガス湯沸器であって、
上記外筒の内周面に、複数のリブを周方向に等間隔に設けて、互いに隣接するリブ間にスピンドルの進退方向に沿ったガイドを形成し、
上記内筒の外周面に上記ガイドと同数のリブを、上記伝達部材の外周部に上記ガイドと同数の腕部をそれぞれ設けて、内筒の各リブと伝達部材の各腕部を、上記外筒の各ガイド内に配するとともに、
上記内筒側の上流側端面と外筒側の上流側端面とを、ガス流路の上流側から下流側に向けて同一方向に傾斜する傾斜面に形成することで、上記スピンドルが前進して上記開弁装置の伝達部材が上記マグネット式安全弁を開弁した際に、内筒側の各々のリブの上流側端面と、これら内筒側の各リブに隣接する外筒側のリブの上流側端面とで略面一の傾斜面を形成し、上記伝達部材の腕部を内筒側のリブの上流側端面から、外筒側の上流側端面上に移動させて上記伝達部材を後退させることを要旨とする。
【発明の効果】
【００１２】
上記構成を有する本発明の請求項１記載のガス湯沸器は、点火動作により通水されると、スピンドルと開弁装置の内筒が前進移動し、これに伴いその内筒と当接状態にある伝達部材が、外筒のガイドに沿って上流側のマグネット式安全弁に向け前進移動する。上記マグネット式安全弁に当接した伝達部材は、スピンドルの前進力を当該マグネット式安全弁に伝達して、そのマグネット式安全弁を押し開く。なお、スピンドルの前進開始から、マグネット式安全弁の開弁が完了されるまでの間（伝達部材と内筒とが当接状態にあるまでの間）においては、スピンドルの押圧部材と、水圧自動弁は離間した状態にあり、また、上記伝達部材はマグネット式安全弁と当接していてそれ以上のスピンドルの前進が規制された状態にあるので、上記水圧自動弁は閉弁状態のまま維持されている。一方、上記マグネット式安全弁の開弁が完了したときには、上記開弁装置の内筒は、内筒のリブの上流側端面の傾斜面が、外筒のリブの上流側端面の傾斜面と略面一状の傾斜面を形成するまで前進している。この際、上記伝達部材は、付勢手段により下流側に付勢されて、各腕部は、略面一状となった傾斜面に沿って、内筒のリブの上流側端面から、外筒のリブの上流側端面に向けて移動する。これにより、伝達部材と内筒との当接状態が解除されて伝達部材が内筒に対しガス流路の下流側に向けて後退し、伝達部材と、マグネット式安全弁との間には隙間が形成され、マグネット式安全弁が閉弁可能な状態になるとともに、上記スピンドルが前進可能な状態となる。スピンドルが前進すると、押圧部材が水圧自動弁体に当接しこの水圧自動弁を押し開くまで前進し、水圧自動弁が開弁される。以上により、マグネット式安全弁と水圧自動弁が順次開弁され、ガス供給が可能となる。また、消火動作により通水停止されると、スピンドルが後退して水圧自動弁を閉弁し、さらにスピンドルが後退して内筒側のリブと、外筒側のリブとの上流側端面が面一状態となる。この際、上記押圧部材の各腕部は外筒側のリブの上流側傾斜面から内筒側のリブの傾斜面上に移動して、点火動作前の状態（押圧部材と内筒とが当接した状態）に戻り、次回の点火操作に備えることになる。
【００１３】
本発明によるガス湯沸器においては、上述のように、マグネット式安全弁が開弁されてはじめて、開弁装置の内筒側のリブと外筒側のリブとが面一状になり、上記伝達部材が内筒に対して後退し、マグネット式安全弁が閉弁可能になるとともに、スピンドルに固定された押圧部材が上記水圧自動弁体を開弁可能な位置まで（水圧自動弁体と当接する位置まで）前進可能となる。このため、マグネット式安全弁の弁体が本体のシート部に貼り付いていたり、高水圧によりスピンドルが速く動作してマグネット式安全弁を衝撃的に押動した場合であっても、マグネット式安全弁を確実に開弁することができる。そして、上記のように、マグネット式安全弁を閉弁可能状態にしてからスピンドルが更に前進移動して水圧自動弁を開弁するので、マグネット式安全弁を燃焼開始後の異常時にガス流路を確実に閉じる状態にすることができる。
【発明を実施するための最良の形態】
【００１４】
次に、本発明によるガス湯沸器の具体的な実施の形態について図面を参照しつつ説明する。図１には、本発明による一実施形態に係るガス湯沸器の概略図が示されている。
【００１５】
本実施形態におけるガス湯沸器は、水圧力によってマグネット式安全弁７を押動開弁する開弁装置８を備えており、通水によってダイアフラム６の一次室２０と二次室２１間で差圧を生み前進・後退自由なダイアフラム６に押動力を発生させる水圧応動装置１６と、この水圧応動装置１６により前進移動させられるスピンドル３７の先端側に前述の開弁装置８と、スピンドル３７の中間位置にガス流路を開閉する水圧自動弁３０とが設けられる。また、水圧自動弁３０には、閉弁方向に付勢すると共に、スピンドル３７を後退方向に付勢する戻しバネ２７が設けられる。ガス供給経路は、ガス入口からマグネット式安全弁７を経由し、手動操作による操作ボタン１８によってガス流路を開閉する器具栓１９を経由し、水圧自動ガス弁３０を経てメインバーナ５０へ通じる。また、この器具栓１９と水圧自動ガス弁３０間の流路は分岐され、燃焼状態を検出すると共にメインバーナ５０と相互に火移りできるセンシングバーナ５１への流路が設けられる。センシングバーナ５は、図示しない熱電対を加熱して熱起電力を発生し、室内が燃焼排ガスによって酸欠雰囲気となると、メインバーナ５０が不完全燃焼となる前に、燃焼炎がリフティング（飛火）を起こし始め、発生起電力を低下させる。
【００１６】
マグネット式安全弁７は、ガス通路の上流側の弁室１３に設けられる。その弁軸３６の一端にはバネ４５により閉止方向に付勢された弁体４３を設け、シート部３５と接離可能となっている。弁軸３６の他端には吸着片４６を設けて電磁石４７の吸着面と向いあっている。
【００１７】
開弁装置８は、図２に示すように、マグネット式安全弁７の下流に設けられ、マグネット式安全弁７と対向し、水圧応動装置１６の前進移動を伝えるスピンドル３７の先端側に設けられる。また、開弁装置８は、本体２に固定される円筒状の外筒体３と、スピンドル３７による進退に伴って外筒体３内を軸方向に摺動自在に移動する内筒体４と、内筒体４からの前進力を伝達される回転体５と、この伝達される前進力によりマグネット式安全弁７を押動する押動体９とから構成される（回転体５および押動体９が本発明の伝達部材に相当する。）。これら外筒体３、内筒体４および回転体５の各々の当接部には、後述するカム部が全周に４箇所設けられる。
【００１８】
図３は、複数のカム部の部分を模式的に示した説明図である。尚、図に示す外筒体３は、外筒部を省略し、内周面に設けられるリブのみを表している。外筒体３の内周面には、リブ３ａと溝３ｂとが交互に４ケずつ形成され、それらのリブ３ａの上流側端面に軸中心にらせん状の傾斜をもったスプライン面３ｃが形成される。また、内筒体４の外周面には、外筒体３内の各々の溝３ｂに嵌合する４ケのリブ４ａが形成され、このリブ４ａの上流側端面にも同一方向に傾斜するスプライン面４ｃが形成される。また、内筒体４は、ばね１１によって下流側（後退）方向に付勢されると共に、スピンドル３７からの前進力が伝達されるようにスピンドル３７の段部１２に係止される（図２）。一方、回転体５には、外筒体３の各々の溝３ｂに嵌合する４ケの腕５ａが設けられ、中心孔５ｄのある円盤状を形成する（図９）。そして、この腕５ａの後退側端面に同一方向に傾斜するスプライン面５ｃが形成され、内筒体４のリブ４ａのスプライン面４ｃと向かい合って当接するように、後退方向に当接ばね（付勢手段）１５で付勢される（図２）。
【００１９】
また、回転体５の中心孔５ｄには、一端にマグネット式安全弁７への当接面をもった円筒状の押動体９が挿通され（図２）、押動体９がマグネット式安全弁７を全開した場合に、圧縮させられて余分なストロークを吸収する吸収ばね１８が押動体９と回転体５との間に設けられ、押動体９はこの吸収ばね１８力により回転体５から抜け出さないように押動体９の係止端部９ｄが回転体５の中心孔周囲に係止される。また、回転体５の中心孔５ｄに挿通される押動体９の外周面には、所定寸法以上、圧縮させられないように、回転体５を係止する段部９ｃが設けられる。この段部９ｃは、マグネット式安全弁７の弁体４３がシート面３５に固着した場合に、吸収ばね１８が圧縮されても、段部９ｃと回転体５とが係止して弁体４３の固着を打ち破り、マグネット式安全弁７を開弁する位置関係に設けられる。
【００２０】
開弁装置８の下流には、スピンドル３７に摺動可能に挿通された水圧自動弁３０が設けられ（図１）、戻しバネ２７で下流方向に閉止するように付勢され、本体２のシート部３９と接離することにより弁体４３との区間で第２の弁室１７を形成している。スピンドル３７には水圧自動弁３０を開弁するための押部材（本発明の押圧部材に相当）２９が設けられ、マグネット式安全弁７が開弁完了し、開弁装置８の回転体５が後退した後に、水圧自動弁３０がスピンドル３７の押部材２９に押されて開弁される位置関係に設けられる。
【００２１】
次に、開弁装置８についての各動作を説明する。尚、図５〜図１１は、湯沸器に組込まれた開弁装置８の動作説明図である。また、図４は、各動作におけるカム部の状態を示す。湯沸器が運転開始され通水されることによって、水圧応動装置１６の水側軸１４へ押動力が伝えられる。このため、スピンドル３７は戻しバネ２７力に打ち勝ち水側軸１４と一体となって前進移動する。また、開弁装置８の内筒体４は、係止されるスピンドル３７と一体になって前進移動する（図５→図６）。開弁装置８の内筒体４が前進移動することにより、内筒体４のリブ４ａが外筒体３の溝３ｂ内で回転体５の腕５ａと当接し、スピンドル３７→内筒体４→回転体５→押動体９→マグネット式安全弁７へと前進力が伝えられ（図４の（ａ）→（ｂ）→（ｃ））、停止位置（図５）の状態からマグネット式安全弁７を押し始めて開弁を開始する。更に、スピンドル３７は、マグネット式安全弁７の吸着片４６を電磁石４７の吸着面まで押動する（図７）。
【００２２】
マグネット式安全弁７が全開位置まで達すると、押動体９は前進移動できなくなるが回転体５と押動体９との間に設けた吸収ばね１８が圧縮されて、内筒体４は更に回転体５を移動する（図４の（ｄ））。これにより、マグネット式安全弁７の開弁完了位置に達した後、押動体９による前進ストロークを吸収してマグネット式安全弁７を保護することができる。回転体５の腕が外筒体３のリブ３ａの上端を越える位置まで移動すると、外筒体３のリブ３ａが回転体５の腕５ａを案内できなくなり、回転体５は内筒体４および外筒体３のリブ４ａ、３ａにおけるスプライン面４ｃ、３ｃの傾斜に沿って、回転方向に隣接する内筒体４のリブ４ａの側面に当接する位置まで回転しながら後退し、外筒体３のリブ３ａのスプライン面３ｃ上に退避する（図４の（ｅ）→（ｆ））（図８）。回転体５のこの退避位置は、押動体９がマグネット式安全弁７から離れて、マグネット式安全弁７が閉弁可能な位置となるように、スプライン面３ｃ、４ｃ、５ｃの傾斜角により予め設定されている。従って、開弁装置８の回転体５が後退して退避することにより、マグネット式安全弁７は、閉弁可能状態にされる（図８）。従って、燃焼開始後の異常時にガス流路を確実に閉じる状態にすることができる。
【００２３】
更に、スピンドル３７が前進移動すると、スピンドル３７と一体となった押部材２９により水圧自動弁３０が押され開弁してガスが流れ始める（図９→図１０）。ガスはバーナ５０へと通じて流れ、図示しないイグナイタの放電によりそのガスに着火して燃焼が開始される（図４の（ｆ）→（ｇ））。
【００２４】
次に、操作ボタン１８により消火操作されると水栓１０が閉弁して止水する。すると、水圧応動装置１６は、ダイアフラム６の一次室２０と二次室２１間の差圧がなくなり、戻しバネ２７力がスピンドル３７を停止位置（図１の右方向）に戻し始め、内筒体４のリブ４ａは外筒体３の溝３ｂ内を後退する（図４の（ｈ））。スピンドル３７は後退して戻り水圧自動弁３０を閉弁し、内筒体４のリブ４ａの先端は回転体５の腕５ａの下端位置まで後退し、回転体５の腕５ａは回転方向に隣接する外筒体３のリブ３ａの側面に当接する位置まで回転しながら、内筒体４のリブ４ａのスプライン面４ｃ上に後退する（図４の（ｉ））。つまり、開弁装置８の回転体５と腕５ａと内筒体４のリブ４ａとが再び当接する。そして、内筒体４のリブ４ａが外筒体３の溝３ｂ内を後退し、回転体５の腕５ａは溝３ｂ内を後退して最初の停止状態に戻り（図４の（ｊ））、次の点火に備える（図５）。
【００２５】
以上により、本ガス湯沸器は、通水圧力を利用してマグネット式安全弁７を自動的に開弁するので、マグネット式安全弁７を開弁するための電力を不要とすることができる。また、マグネット式安全弁７を閉弁可能状態にしてから水圧自動弁３０を開弁するので、燃焼開始後の異常時にガス流路を確実に閉じる状態にすることができる。更に、ガス湯沸器の通水停止によるスピンドル３７の後退途中で、再びスピンドル３７と押動体９間に回転体５を介在させるので次の再点火に備えた状態で停止とすることができる。
【００２６】
しかも、開弁装置８は、マグネット式安全弁７の開弁完了位置に達した後に、回転体５を退避させてマグネット式安全弁７を閉弁可能状態にする。つまり、押動体９によるマグネット式安全弁７への押動力は、マグネット式安全弁７の開弁開始位置で解放されることはない。従って、マグネット式安全弁７の開弁完了位置に達してから押動力が解放されるので、マグネット式安全弁７の弁体４３がシート部３５に貼り付いていたり、高水圧によりスピンドル３７が速く動作してマグネット式安全弁７を衝撃的に押動したりした場合であっても、マグネット式安全弁７を確実に開弁することができる。また、従来の開弁装置８に比して部品点数が少なくなって開弁装置８を安価に作製することができる。
【００２７】
また、図１２に示す従来例では、消火後にスピンドル８２が後退して係止される開弁装置８０と再係合する際に、開弁装置８０の吸収ばね８４力がボール４０をスピンドル８２に圧接するために、スピンドル８２の摺動抵抗が大きくなっていた。これに対して、本実施例では、スピンドル８２に圧接されて摺動するボール４０を用いずに、内筒体４のスプライン面４ｃと回転体５のスプライン面５ｃとが単に当接するだけで開弁装置８がリセットされる（図３）。従って、スピンドル３７の後退に伴う摺動抵抗を低減することができる。
【００２８】
以上、本発明の実施例について説明したが、本発明はこうした実施例に何等限定されるものではなく、本発明の趣旨を逸脱しない範囲において、種々なる態様で実施し得ることは勿論である。例えば、ストローク吸収機構は、マグネット式安全弁７の弁体４３を挟んで開弁装置８側に設ける構成として説明したが、マグネット式安全弁７側に設ける構成であっても良い。
【図面の簡単な説明】
【００２９】
【図１】本発明の一実施形態に係る湯沸器の概略構成図である。
【図２】本発明の一実施形態に係る開弁装置の拡大図である。
【図３】本発明の一実施形態に係る開弁装置のカム部を示す斜視図である。
【図４】本発明の一実施形態に係る開弁装置のカム部の動作説明図である。
【図５】本発明の一実施形態に係る開弁装置の動作説明図である（停止状態）。
【図６】本発明の一実施形態に係る開弁装置の動作説明図である（開弁開始状態）。
【図７】本発明の一実施形態に係る開弁装置の動作説明図である（全開状態）。
【図８】本発明の一実施形態に係る開弁装置の動作説明図である（押動力解除状態）。
【図９】本発明の一実施形態に係る開弁装置の動作説明図である（水圧自動弁の開弁開始状態）。
【図１０】本発明の一実施形態に係る開弁装置の動作説明図である（燃焼状態）。
【図１１】本発明の一実施形態に係る開弁装置の動作説明図である（リセット状態）。
【図１２】従来技術に係る開弁装置の動作説明図である（（Ａ）停止位置）。
【図１３】従来技術に係る開弁装置の動作説明図である（（Ｂ）マグネット式安全弁の全開）。
【図１４】従来技術に係る開弁装置の動作説明図である（（Ｃ）開弁装置を解除後）。
【図１５】従来技術に係る開弁装置の動作説明図である（（Ｄ）水圧自動弁全開（燃焼状態））。
【符号の説明】
【００３０】
３    外筒体
３ａ  リブ
３ｂ  溝
３ｃ  スプライン面
４    内筒体
４ａ  リブ
４ｃ  スプライン面
５    回転体
５ａ  腕
５ｃ  スプライン面
７    マグネット式安全弁
８    開弁装置
９    押動体
１６    水圧応動装置
３０    水圧自動弁
３７    スピンドル
【図１】
2008267800.tif 000003
【図２】
2008267800.tif 000004
【図３】
2008267800.tif 000005
【図４】
2008267800.tif 000006
【図５】
2008267800.tif 000007
【図６】
2008267800.tif 000008
【図７】
2008267800.tif 000009
【図８】
2008267800.tif 000010
【図９】
2008267800.tif 000011
【図１０】
2008267800.tif 000012
【図１１】
2008267800.tif 000013
【図１２】
2008267800.tif 000014
【図１３】
2008267800.tif 000015
【図１４】
2008267800.tif 000016
【図１５】
2008267800.tif 000017